(57)【要約】  開いた上端部（９）を有する外側容器（２）と、開いた上端部（９）の開放位置と閉鎖位置との間で外側容器（２）に対して回動するよう、外側容器（２）にヒンジ連結された蓋（３）と、外側容器（２）の内側に収容され、喫煙物品の第１群（６）を取り囲むと共に、第１密封フラップ（３０）によって閉鎖される第１紙喫煙物品抜取り開口（２８）を有した、柔軟な第１内側パッケージ（５）と、外側容器（２）の内側に第１内側パッケージ（５）と並べて収容され、喫煙物品の第２群（８）を取り囲むと共に、第２密封フラップ（４３）によって閉鎖される第２喫煙物品抜取り開口（４１）を有した、柔軟な第２内側パッケージ（７）と有した喫煙物品の包装体（１）である。蓋（３）の開閉が第１密封フラップ（３０）をも同時に開閉させるように、第１密封フラップ（３０）の少なくとも一部分（３１）が蓋（３）に対して恒久的に、着脱可能でなく連結されている。包装体（１）は、第２密封フラップ（４３）と蓋（３）との間に配置される接着性材料の層と、少なくとも部分的に接着性材料の層の上に配置される取外し可能タブ（４４）とを備え、取外し可能タブ（４４）が接着性材料の層から取り外されてしまったならば、接着性材料の層によって蓋（３）が第２密封フラップ（４３）に連結可能となっている。
2018513068.tif 000002
【特許請求の範囲】
【請求項１】
開いた上端部（９）を有する外側容器（２）と、
前記開いた上端部（９）の開放位置と閉鎖位置との間で前記外側容器（２）に対して回動するよう、前記外側容器（２）にヒンジ連結された蓋（３）と、
前記外側容器（２）の内側に収容され、喫煙物品の第１群（６）を取り囲むと共に、第１密封フラップ（３０）によって閉鎖される第１紙喫煙物品抜取り開口（２８）を有した、柔軟な第１内側パッケージ（５）と、
前記外側容器（２）の内側に前記第１内側パッケージ（５）と並べて収容され、喫煙物品の第２群（８）を取り囲むと共に、第２密封フラップ（４３）によって閉鎖される第２喫煙物品抜取り開口（４１）を有した、柔軟な第２内側パッケージ（７）と、
を備えた喫煙物品の包装体（１）において、
前記蓋（３）の開閉が前記第１密封フラップ（３０）をも同時に開閉させるように、前記第１密封フラップ（３０）の少なくとも一部分（３１）が前記蓋（３）に対して恒久的に、着脱可能でなく連結されていること、および、当該包装体（１）が、前記第２密封フラップ（４３）と前記蓋（３）との間に配置される接着性材料の層と、少なくとも部分的に前記接着性材料の層の上に配置される取外し可能タブ（４４）とを備え、前記取外し可能タブ（４４）が前記接着性材料の層から取り外されてしまったならば、前記接着性材料の層によって前記蓋（３）が前記第２密封タブ（４３）に連結可能となっていること、を特徴とする喫煙物品の包装体（１）。
【請求項２】
前記第１密封フラップ（３０）に第１連結タブ（３１）が設けられ、その第１連結タブ（３１）が前記蓋（３）の内面に対して恒久的に、着脱可能でなく連結されている、請求項１記載の喫煙物品の包装体（１）。
【請求項３】
前記第１密封フラップ（３０）における前記第１連結タブ（３１）の外面（３２）が、前記蓋（３）の内面に対して、恒久的な接着剤のスポットによって接着されているか、或いは、前記第１密封フラップ（３０）の前記第１連結タブ（３１）が、前記第１密封フラップ（３０）の残部上へと１８０°折り曲げられ、前記第１密封フラップ（３０）における前記第１連結タブ（３１）の内面が、前記蓋（３）の内面に対して、恒久的な接着剤のスポットによって接着されている、請求項２記載の喫煙物品の包装体（１）。
【請求項４】
前記第１密封フラップ（３０）の材料を切るか、或いは取り除くことにより形成される弱め線（３４）によって、前記第１連結タブ（３１）が前記第１密封フラップ（３０）の残部から区分されている、請求項２または３記載の喫煙物品の包装体（１）。
【請求項５】
前記弱め線（３４）が、連続的であり、前記第１密封フラップ（３０）の材料に刻み目を付けることによって形成されているか、前記弱め線（３４）が、不連続的であり、前記第１密封フラップ（３０）の材料を貫通して切ることによって形成されているか、或いは、前記弱め線（３４）が、不連続的であり、前記第１密封フラップ（３０）の材料に刻み目を付けることによって形成されている、請求項４記載の喫煙物品の包装体（１）。
【請求項６】
前記取外し可能タブ（４４）は、前記蓋（３）が前記閉鎖位置にあるとき、少なくとも部分的に前記蓋（３）の前壁（１６）より下に配置される、請求項１から５のいずれか一項に記載の喫煙物品の包装体（１）。
【請求項７】
前記第２密封フラップ（４３）に第２連結タブ（４６）が設けられ、その第２連結タブ（４６）の上に前記接着性材料の層が配置されており、前記第２連結タブ（４６）は、前記取外し可能タブ（４４）が前記接着性材料の層から取り外されてしまったならば、前記蓋（３）の前壁（１６）の内面に対して恒久的に接着可能となっている、請求項１から６のいずれか一項に記載の喫煙物品の包装体（１）。
【請求項８】
前記第２連結タブ（４６）は、前記第２密封フラップ（４３）の残部に対して恒久的に、着脱可能でなく接着されており、
前記蓋（３）の前壁（１６）の内面に面する前記第２連結タブ（４６）の外面（４８）の上に、前記接着性材料の層が配置されている、請求項１から７のいずれか一項に記載の喫煙物品の包装体（１）。
【請求項９】
前記第２密封フラップ（４３）は、少なくとも包装用材料の２つの層である外側の第１層と内側の第２層とを備え、当該層同士の間に前記接着性材料の層が差し挟まれており、
前記取外し可能タブ（４４）は、前記第２密封フラップ（４３）における前記第１層の一部分であり、
前記第２連結タブ（４６）は、前記第２密封フラップ（４３）の前記第２層における、前記取外し可能タブ（４４）に面した部分であり、
前記第２密封フラップ（４３）は、少なくとも前記第１層についての切込み線を備え、その切込み線が前記取外し可能タブ（４４）の縁部のうち少なくとも１つを画成している、請求項１から７のいずれか一項に記載の喫煙物品の包装体（１）。
【請求項１０】
前記第１密封フラップ（３０）を前記第１内側パッケージ（５）から繰り返し部分的に引離し可能かつ再固定可能とし、前記第２密封フラップ（４３）を前記第２内側パッケージ（７）から繰り返し部分的に引離し可能かつ再固定可能とするように、前記第１密封フラップ（３０）および前記第２密封フラップ（４３）が、前記第１喫煙物品抜取り開口（２８）および前記第２喫煙物品抜取り開口（４１）の周囲に配置された不乾性で再付着性の接着剤によって、前記第１内側パッケージ（５）および前記第２内側パッケージ（７）にそれぞれ固定されており、前記第１連結タブ（３１）および前記第２連結タブ（４６）には再付着性の接着剤がない、請求項１から９のいずれか一項に記載の喫煙物品の包装体（１）。
【発明の詳細な説明】
【技術分野】
【０００１】
本発明は、喫煙物品の包装体であって、縮小された寸法の喫煙物品の群、即ち当該包装体の大きい方の横方向寸法以下の縦方向寸法を有した喫煙物品の群を収容するために構成された喫煙物品の包装体に関する。
【０００２】
以下の説明においては、簡潔性の目的のため、本発明がそれにより範囲を狭められることなく、堅くてヒンジ連結蓋付きの紙巻タバコの包装体についての言及がなされることとなる。
【背景技術】
【０００３】
伝統的な型式の堅くてヒンジ連結蓋付きの紙巻タバコの包装体は、目下のところ、市場で最も普及した紙巻タバコの包装体である。それらの包装体は、作るのが容易で、使用するのが簡単かつ実用的であり、中に入っている紙巻タバコへの良好な機械的保護をもたらすからである。
【０００４】
堅くてヒンジ連結蓋付きの紙巻タバコの包装体は、紙巻タバコの群を完全にくるむ金属箔の内側パッケージと、内部に内側パッケージを収容する、ヒンジ連結蓋の設けられた外側容器とを備えている。外側容器は、カップ形状で、紙巻タバコの群を収容すると共に、開いた上端部を有している。一方、これもまたカップ形状である蓋は、開いた端部の開放位置と閉鎖位置との間で外側容器に対して回動するよう、外側容器にヒンジ連結されている。「Ｕ」のように折り曲げられた内枠が更に設けられている。その内枠は、開いた端部の外側へ部分的に突き出ており、蓋が閉鎖位置に置かれたときに蓋の対応する内面と係合するよう、外側容器の内側に連結されている。
【０００５】
それでも、伝統的な型式の包装体は、縮小された縦方向寸法の紙巻タバコの群を収容するのには不適切である。数本の紙巻タバコしかないときには、それらの紙巻タバコが、抜き取るには難しい位置へと陥ってしまうかもしれないからである。
【０００６】
この欠点を克服するために、「双型（twin）包装体」や「対（double）ポケット型包装体」として知られる紙巻タバコの包装体が開発されてきた。双型包装体は、２つの内側半包装体から成っている。それらの半包装体は、それぞれの金属箔内側パッケージが設けられると共に、単一の内枠と結合させられて、ヒンジ連結蓋の設けられた同じ外側容器内に並んで配置されている。その内枠の中央部分は、本のように折り曲げられて、半包装体同士の間に差し挟まれている。
【０００７】
刻みタバコは、外部環境の影響に対して非常に敏感であると知られている。大気に触れると、湿度の変化の影響（刻みタバコは、極めて乾燥しており、即ち余りにも水分を吸収しすぎるのであろう）と、刻みタバコに染み込まされている揮発性物質の気化（特に、メントールなどの特定の香気を伴った紙巻タバコの場合）との両方によって、その感覚刺激特性が変化してしまうからである。
【０００８】
紙巻タバコにおける刻みタバコの完全性を保つために、上述した双型包装体は、セロファン包装される（即ち、それらが気密性プラスチック材料の熱融着性の上包みで包装される）。それでも、熱融着性の上包みは、特に紙巻タバコの包装体が製造後に多少時間が経たってから消費されるときには、紙巻タバコの包装体の中に含まれる刻みタバコの感覚刺激特性を完全に保つには十分なものではないかもしれない。さらに、包装体が最初に開けられるときには、上包みが取り外され、かくして包装体の中に含まれる紙巻タバコの刻みタバコを外部の環境に曝してしまう。包装体の中に含まれる紙巻タバコが、包装体を最初に開けてから直ぐには消費されない場合には、残りの紙巻タバコの中に含まれる刻みタバコの感覚刺激特性が著しく劣化してしまう可能性がある。
【０００９】
上述した欠点を軽減するために、特許文献１（WO2010/026020A1）および特許文献２（WO02/30790A2）の各国際特許出願で開示された型式の「密封式双型包装体」として知られる包装体が開発されてきた。
【００１０】
特許文献１および特許文献２は、ヒンジ連結蓋の設けられた外側容器を備える堅い紙巻タバコの包装体を開示しているが、その外側容器は２つの個別の紙巻タバコの群を収容している。それらのような包装体には、熱融着される気密性の内側パッケージが設けられるが、その内側パッケージは、気密性遮断体を形成する熱融着性材料のシートを備えている。特許文献１および特許文献２の国際特許出願に開示された包装体においては、個別の紙巻タバコの群それぞれについて１つずつの、２つの紙巻タバコ抜取り開口を内側パッケージが有している。それらの抜取り開口は、それぞれの再閉鎖可能な接着性パネルによって閉鎖されている。再閉鎖可能な接着性パネルには、それぞれ再使用可能な接着性ストリップが設けられている。その接着性ストリップは不乾性であり、それぞれのパネルが、対応する紙巻タバコ抜取り開口の閉鎖位置に幾度も固定されることを可能とする。さらに、それらのような包装体においては、内側パッケージの内部に、堅い内枠が配置されている。堅い内枠は、紙巻タバコの群を取り囲み、前壁と、一対の側壁と、本のように折り曲げられた中央部分とを有している。堅い内枠はまた、熱融着性材料の内側パッケージシートの折曲げおよび熱融着中に紙巻タバコを保護すると共に、折り曲げられた中央部分によって、紙巻タバコの２つの群同士を隔てる機能を有している。
【００１１】
特許文献１および特許文献２に開示された包装体は、紙巻タバコの１つの群が最初に消費され、その次に紙巻タバコの残りの群が消費されることを可能とし、かくして次に消費される紙巻タバコの群に含まれる刻みタバコの感覚刺激特性を、時が経っても、より良好に保つのである。
【００１２】
特許文献１および特許文献２に開示された包装体の欠点は、紙巻タバコを包装体から抜き取るために使用者は、最初に蓋を開け、次に２つの再閉鎖可能な接着性パネルの一方を（当該パネルに設けられた掴めるタブを掴んで）開かねばならない、ということである。再閉鎖可能な接着性パネルを開く作業は、特に手先の器用さに劣る使用者の場合には、非常に面倒なものとなり得る。各パネルの掴めるタブが、縮小された、即ち数ミリメートルの寸法を有しているからである。
【００１３】
かくして、掴めるタブの寸法を増大させることが提案されてきた。
【００１４】
それでも、そのような増大された寸法の掴めるタブは、必然的に蓋の下縁部から出てしまって、蓋を閉鎖位置に維持するのをより困難なものとし、他の諸物体に引っ掛かりがちとなって、蓋を偶然に開かせてしまい、また蓋が閉じた状態での紙巻タバコの包装体の美的価値を損なってしまうのである。
【先行技術文献】
【特許文献】
【００１５】
【特許文献１】国際公開第２０１０／０２６０２０号パンフレット
【特許文献２】国際公開第０２／３０７９０号パンフレット
【発明の概要】
【発明が解決しようとする課題】
【００１６】
本発明の目的は、上述した欠点のない、即ち、同時に製造するのが容易かつ廉価な喫煙物品の包装体を提供することである。
【課題を解決するための手段】
【００１７】
本発明によれば、添付した特許請求の範囲に記載されるような喫煙物品の包装体が提供される。
【００１８】
ここで本発明は、本発明の実施形態を非限定的な例として示す添付図面を参照して開示されることとなる。
【図面の簡単な説明】
【００１９】
【図１】本発明により作られた紙巻タバコの包装体の、閉鎖形態での前方軸測投影図。
【図２】図１の紙巻タバコの包装体の、閉鎖形態での後方軸測投影図。
【図３】図１の紙巻タバコの包装体の、開放形態での前方軸測投影図。
【図４】図１の紙巻タバコの包装体の、別の開放形態での前方軸測投影図。
【図５】図１の紙巻タバコの包装体の、開放形態での側面図。
【図６】図１の紙巻タバコの包装体内に包含される第１内側パッケージの前方軸測投影図。
【図７】図６の第１内側パッケージの後方軸測投影図。
【図８】図１の紙巻タバコの包装体内に包含される第２内側パッケージの前方軸測投影図。
【図９】図８の第２内側パッケージの後方軸測投影図。
【図１０】図６の第１内側パッケージ内および図８の第２内側パッケージ内に収容される補剛体の前方軸測投影図。
【図１１】図１０の補剛体を作るのに用いられる打抜き材を示す図。
【図１２】図１の紙巻タバコの包装体内に包含される第１密封フラップの正面図。
【図１３】図１の紙巻タバコの包装体内に包含される第２密封フラップの正面図。
【図１３Ａ】図１３の第２密封フラップを構成する部品の正面図。
【図１３Ｂ】図１３の第２密封フラップを構成する部品の正面図。
【図１３Ｃ】図１３の第２密封フラップを構成する部品の正面図。
【図１４】図１の紙巻タバコの包装体における外側容器を作るのに用いられる打抜き材を示す図。
【図１５】図６の第１内側パッケージを作るのに用いられる包装用シートを示す図。
【図１６】図８の第２内側パッケージを作るのに用いられる包装用シートを示す図。
【発明を実施するための形態】
【００２０】
図１から図４において、符号１は、紙巻タバコの一般的に認められた延長の縦軸線に平行な縦軸線Ａに沿って伸びる、堅い紙巻タバコの包装体を全体として示している。紙巻タバコの包装体１は、外側容器２と、蓋３と、第１内側パッケージ５と、第２内側パッケージ７とを備えている。その蓋３は、閉鎖位置（図１および図２に示す）と開放位置（図３および図４に示す）との間で回動するよう、ヒンジ４に沿って外側容器２の背後にヒンジ連結されている。第１内側パッケージ５は、紙巻タバコの第１群６を取り囲み、外側容器２の内部に収容されている。第２内側パッケージ７は、紙巻タバコの第２群８を取り囲み、第１内側パッケージ５と並んで外側容器２の内部に収容されている。
【００２１】
容器２は、堅い（剛性のある）型式のものであり、即ち堅い包装用材料によって形成され、カップ形状になっていて、平行六面体形状を有している。容器２はまた、開いた上端部９と、この開いた上端部９とは反対側の底壁１０と、互いに平行で向かい合った前壁１１および後壁１２と、互いに平行で壁１１，１２同士の間に置かれた第１側壁１３および第２側壁１４とを有している。
【００２２】
容器２において、前後それぞれの壁１１および１２と、両側壁１３，１４との間で、紙巻タバコの第１群６および第２群８における各紙巻タバコと平行に配置される４つの縦方向稜が画成されている。容器２において、壁１１，１２，１３，および１４と、底壁１０との間で、紙巻タバコの第１群６および第２群８における各紙巻タバコに対して垂直に配置される４つの横方向稜が画成されている。
【００２３】
容器２における底壁１０の対角線の長さは、紙巻タバコの第１群６および第２群８を構成する各紙巻タバコの縦方向の（即ち縦軸線Ａと平行に測った）寸法以上となっている。
【００２４】
蓋３は、カップ形状になっていて、平行六面体形状を有している。蓋３はまた、蓋３が閉鎖位置に配置されたときに容器２の底壁１０に対して平行で向かい合う上壁１２と、蓋３が閉鎖位置に配置されたときに容器２の前壁１１と同一平面上にある前壁１６と、ヒンジ４によって容器２の後壁１２にヒンジ連結されて、蓋３が閉鎖位置に配置されたときに容器２の後壁１２と同一平面上にある後壁１７と、蓋３が閉鎖位置に配置されたときに容器２の第１側壁１３と同一平面上にある第１側壁１８と、蓋３が閉鎖位置に配置されたときに容器２の第２側壁１４と同一平面上にある第２側壁１９とを有している。
【００２５】
蓋３において、前後それぞれの壁１６および１７と、両側壁１８，１９との間で、紙巻タバコの第１群６および第２群８における各紙巻タバコと平行に配置される４つの縦方向稜が画成されている。蓋３において、壁１６，１７，１８，および１９と、上壁１５との間で、紙巻タバコの第１群６および第２群８における各紙巻タバコに対して垂直に配置される４つの横方向稜が画成されている。
【００２６】
添付図面に示された実施形態においては全ての稜が鋭くなっているが、図示しない完全に等価な別の実施形態においては、縦方向および／または横方向の各稜の一部を面取りしたり丸めたりすることができる。
【００２７】
図３から図７に示すことによれば、第１内側パッケージ５（特に密封式のもの）は、平行六面体形状を有し、互いに平行で向かい合った上壁２０および底壁２１と、互いに平行で向かい合った前壁２２および後壁２３と、互いに平行で、壁２２と壁２３との間に置かれた第１側壁２４および第２側壁２５とを有している。その上壁２０および底壁２１は、蓋３が閉鎖位置に配置されたときに、蓋３の上壁１５の内面および容器２の底壁１０の内面にそれぞれ面する。また前壁２２並びに後壁２３は、蓋３が閉鎖位置に配置されたときに、容器２および蓋３それぞれの前壁１１，１６の内面、並びに容器２の後壁１２の内面にそれぞれ面する。また第１側壁２４並びに第２側壁２５は、蓋３が閉鎖位置に配置されたときに、容器２の第１側壁１３の内面および蓋３の第１側壁１８の内面、並びに第２内側パッケージ７の第１側壁２６の外面にそれぞれ面する。
【００２８】
第１内側パッケージ５は、金属箔ないし透明箔（即ち、剛性のない熱融着性の柔軟な内側パッケージ材料）で作られた図１５に示す包装用シート２７を折り曲げて、紙巻タバコの第１群６の周囲を（紙巻タバコの第１群６の各紙巻タバコと直接的に接触するように）包み、これを熱融着により固定することによって製作される。
【００２９】
第１内側パッケージ５は更に、第１紙巻タバコ抜取り開口２８を備えている。その抜取り開口２８は、第１内側パッケージ５の上壁２０および前壁２２の所に配置され、図６および図７に破線で示す切離し線２９によって境界付けられている。切離し線２９は、開始部分より第１内側パッケージ５の残部から切り離すことができ、即ち千切り取り可能とすることができて、典型的には紙巻タバコの包装体１の最初の開放で完全に千切り取られるべきミシン目とすることができる。一般的には、切離し線２９は、第１内側パッケージ５を形成するのに用いられる包装用シート２７の取り扱いを簡素化するように千切り取り可能となっているのが好ましい。
【００３０】
図３、図４、図６、および図７に示すことによれば、第１内側パッケージ５における底壁２１の対角線の長さは、紙巻タバコの第１群６を構成する各紙巻タバコの縦方向の寸法よりも小さくなっている。これにより、紙巻タバコの第１群６の各紙巻タバコが第１内側パッケージ５の底部に落ちて嵌まりこんで動かなくなることが防止され、最後の紙巻タバコであっても抜取りが容易となる。
【００３１】
図３から図７、および図１２に示すことによれば、紙巻タバコの包装体１は、第１内側パッケージ５の第１紙巻タバコ抜取り開口２８を閉鎖するために再使用可能な第１密封フラップ３０を備えている。
【００３２】
第１密封フラップ３０は、「開閉」式のものであり、蓋３が閉鎖位置に配置されたときに、第１内側パッケージ５の第１抜取り開口２８を覆って、第１内側パッケージ５の後壁２３上、上壁２０上、および前壁２２上に重ね合わされる。第１密封フラップ３０は、再付着性接着剤によって第１内側パッケージ５に固定されている。その再付着性接着剤は、不乾性であり（即ち、常に粘着性を保っており）、即ち、各部を引き離すことを可能とし、それから長時間の経過後であっても再度結合させることを可能とする接着性物質のものである。このようにして、第１密封フラップ３０は、蓋３が閉鎖位置に配置されたときに第１内側パッケージ５に対して接着して第１抜取り開口２８を閉鎖（密封）すると共に、一時的に第１内側パッケージ５から引き上げられて第１抜取り開口２８を開けることができ、かくして第１抜取り開口２８を通じて紙巻タバコが抜き取れられるのを可能とすることができる。
【００３３】
換言すれば、第１密封フラップ３０の下面に塗布された、不乾性の再付着性接着剤の存在によって、第１内側パッケージ５の切離し線２９を取り囲む（即ち、第１抜取り開口２８を取り囲む）部分と、第１密封フラップ３０との間での、一時的な（即ち、使用時に引き離される）接着が生じ、第１密封フラップ３０が、第１内側パッケージ５から幾度も（即ち、紙巻タバコの包装体１を開く度に）部分的に引き離され、そして再び第１内側パッケージ５に固定されることが可能となる。
【００３４】
第１密封フラップ３０は更に、第１内側パッケージ５の切離し線２９の内側に囲い込まれた（即ち、第１抜取り開口２８の所の）部分の第１密封フラップ３０に対する恒久的な（即ち、使用時であっても決して引き離されない）接着を生じさせる恒久的接着剤を備えている。かくして、第１密封フラップ３０が第１内側パッケージ５から引き上げられたときには、第１内側パッケージ５の切離し線２９の内側に囲い込まれた（即ち、第１抜取り開口２８の所の）部分が、第１密封フラップ３０と一緒に持ち上がって、第１抜取り開口２８を開けるのである。
【００３５】
図３から図６、および図１２に示すことによれば、第１密封フラップ３０には第１連結タブ３１（これには再付着性接着剤がない）が設けられている。
【００３６】
第１密封フラップ３０の第１連結タブ３１は、蓋３の開閉が同時に第１密封フラップ３０をも開閉させるよう、蓋３の内面に対して（好ましくは接着によって）恒久的に、引離し可能でなく連結されている。特に、第１密封フラップ３０の第１連結タブ３１の外面３２（図６に示す）が、蓋２の前壁１６の内面に対して、恒久的な（即ち、乾性であって再付着性ではない）接着剤のスポットによって接着されている。具体的には、第１密封フラップ３０の第１連結タブ３１の外面３２は、蓋２の補強フラップ３３に対して恒久的な接着剤のスポットによって接着されている。
【００３７】
このようにして、第１密封フラップ３０の第１連結タブ３１は、第１密封フラップ３０の残部から広がると共に、そことは区分されたままであり、蓋３の開放中には第１密封フラップ３０が「Ｓ」形状をなしている（図５に概略的に示す）。
【００３８】
図示しない別の実施形態によれば、第１連結タブ３１とは別の第１密封フラップ３０の一部分が、第１連結タブ３１に加えて、或いは第１連結タブ３１に代えて、蓋３の内面に対して恒久的で分離可能でないやり方で接着され得るであろう。後者の場合、第１密封フラップ３０には第１連結タブ３１がないことがあり得る。
【００３９】
図示しないもう一つの実施形態によれば、第１密封フラップ３０の第１連結タブ３１の内面が、蓋３の前壁１６の内面に、特に蓋２の補強フラップ３３に対して、恒久的な接着剤のスポットによって接着されている。この場合、第１密封フラップ３０の第１連結タブ３１は、第１密封フラップ３０の残部上へと１８０°折り曲げられ、蓋３の開放中には第１密封フラップ３０が「Ｕ」形状をなしている
【００４０】
第１密封フラップ３０の第１連結タブ３１を恒久的に蓋３と一体化させているという事実によって、第１密封フラップ３０を蓋３と一緒に同時に引き上げるようにすることが可能となる。蓋３の開放中における第１内側パッケージ５からの第１密封フラップ３０の引き上げは、第１内側パッケージ５内に含まれる紙巻タバコへの圧迫を伴うことなく、穏やかに、かつ徐々に生じる。さらに、蓋３の閉鎖中における第１内側パッケージ５上への第１密封フラップ３０の降下は、穏やかに、かつ徐々に生じて、第１密封フラップ３０が第１内側パッケージ５の輪郭を順次、精確に覆うことを可能とする。
【００４１】
本発明によれば、第１連結タブ３１は、弱め線３４（図６および図１２に示す）によって第１密封フラップ３０の残部から区分されている。弱め線３４の機能は、第１連結タブ３１の所での第１密封フラップ３０の折曲げを容易にして、より小さな強度の折曲げ力を加えることによって、第１連結タブ３１の所で第１密封フラップ３０が折り曲げられることを可能とする（かくしてまた、第１密封フラップ３０が第１連結タブ３１の所で折り曲げられた後で元の折り曲げられていない位置へ戻ろうとする弾性復元力を低下させる）ことである。
【００４２】
弱め線３４の存在によって、蓋３の、そして蓋３と一体的となった第１密封フラップ３０の移動中に、第１密封フラップ３０が第１連結タブ３１の所で、より容易に（即ち、より小さな「力」で）折り曲げられる。かくして、第１密封フラップ３０は、第１連結タブ３１と蓋３の内面との間に、より小さな牽引力を加えることによって（即ち、接着剤の各スポットに、より小さな牽引力を掛けることによって）第１連結タブ３１の所で折り曲げられるのである。従って、弱め線３４の存在によって、第１密封フラップ３０の第１連結タブ３１を蓋３の内面に連結する接着剤の各スポットへの応力を減少させることが可能となる。かくして、使用時に接着剤のスポットが破損して第１密封フラップ３０の蓋３からの望ましからぬ剥がれを引き起こす危険性を、著しく低減させることが（さもなければ完全に取り除くことも）可能となる。
【００４３】
弱め線３４は、第１密封フラップ３０を構成する材料を切るか、或いは取り除くことによって、即ち第１密封フラップ３０を構成する材料に影響する「溝」を作り出すことによって造られる。図３から図６に示す実施形態によれば、弱め線３４は、連続的なものであって（即ち、第１連結タブ３４の全長に沿って伸びていて）、第１密封フラップ３０を構成する材料の部分的な（即ち、貫通していない）切込みから成っている。図示しない別の実施形態によれば、弱め線３４は、断続的なものであって（即ち、個別の部分で伸びていて）、第１密封フラップ３０を構成する材料の完全な（即ち、貫通した）切込みから成っている。図示しない更なる実施形態によれば、弱め線３４は、断続的なものであって（即ち、個別の部分で伸びていて）、第１密封フラップ３０を構成する材料の部分的な（即ち、貫通していない）切込みから成っている。第１密封フラップ３０を構成する材料が重層的なものである（即ち、互いに重ね合わされて結合された少なくとも２つの層から成る）ときには、弱め線３４は部分的な切込みから成る。この部分的な切込みは、材料の１つの層に（或いは、幾つかの層にも）影響し、材料の残りの各層（或いは、残りの一層）はそのまま残されることができるであろう。
【００４４】
例えば、弱め線３４は、第１密封フラップ３０を構成する材料を機械的に切断する刃によって造ることができ、或いは第１密封フラップ３０を構成する材料の一部を取り除くレーザービームによって造ることができる。
【００４５】
図３、図４、図８、および図９に示すことによれば、第２内側パッケージ７（特に密封式のもの）は、平行六面体形状を有し、互いに平行で向かい合った上壁３５および底壁３６と、互いに平行で向かい合った前壁３７および後壁３８と、互いに平行で、壁３７と壁３８との間に置かれた第１側壁２６および第２側壁３９とを有している。その上壁３５および底壁３６は、蓋３が閉鎖位置に配置されたときに、蓋３の上壁１５の内面および容器２の底壁１０の内面にそれぞれ面する。また前壁３７並びに後壁３８は、蓋３が閉鎖位置に配置されたときに、容器２および蓋３それぞれの前壁１１，１６の内面、並びに容器２の後壁１２の内面にそれぞれ面する。また第１側壁２６並びに第２側壁３９は、蓋３が閉鎖位置に配置されたときに、第１内側パッケージ５の第２側壁２５の外面、並びに容器２の第２側壁１４の内面および蓋３の第２側壁１９の内面を向く。
【００４６】
第２内側パッケージ７は、金属箔ないし透明箔（即ち、剛性のない熱融着性の柔軟な内側パッケージ材料）で作られた図１６に示す包装用シートを折り曲げて、紙巻タバコの第２群８の周囲を（紙巻タバコの第２群８の各紙巻タバコと直接的に接触するように）包み、これを熱融着により固定することによって製作される。
【００４７】
第２内側パッケージ７は更に、第２紙巻タバコ抜取り開口４１を備えている。その抜取り開口４１は、第２内側パッケージ７の上壁３５および前壁３７の所に配置され、図８および図９に破線で示す切離し線４２によって境界付けられている。切離し線４２は、開始部分より第２内側パッケージ７の残部から切り離すことができ、即ち千切り取り可能とすることができて、典型的には第２内側パッケージ７の最初の開放で完全に千切り取られるべきミシン目とすることができる。一般的には、切離し線２９は、第２内側パッケージ７を形成するのに用いられる包装用シートの取り扱いを簡素化するように千切り取り可能となっているのが好ましい。
【００４８】
図３、図４、図８、および図９に示すことによれば、第２内側パッケージ７における底壁３６の対角線の長さは、紙巻タバコの第２群８を構成する各紙巻タバコの縦方向の寸法よりも小さくなっている。これにより、紙巻タバコの第２群８の各紙巻タバコが第２内側パッケージ７の底部に落ちて嵌まりこんで動かなくなることが防止され、最後の紙巻タバコであっても抜取りが容易となる。
【００４９】
図３、図４、図８、図９、図１３、図１３Ａから図１３Ｃに示すことによれば、紙巻タバコの包装体１は、第２内側パッケージ７の第２紙巻タバコ抜取り開口４１を閉鎖するために再使用可能な第２密封フラップ４３を備えている。
【００５０】
第２密封フラップ４３は、「開閉」式のものであり、即ち、第２内側パッケージ７の第２抜取り開口４１が開閉されるのを可能とし、第２内側パッケージ７の後壁３８上、上壁３５上、および前壁３７上に重ね合わされる。第２密封フラップ４３は、再付着性接着剤によって第２内側パッケージ７に固定されている。その再付着性接着剤は、不乾性であり（即ち、常に粘着性を保っており）、即ち、各部を引き離すことを可能とし、それから長時間の経過後であっても再度結合させることを可能とする接着性物質のものである。このようにして、第２密封フラップ４３は、第２内側パッケージ７に対して接着して第２抜取り開口４１を閉鎖（密封）すると共に、一時的に第２内側パッケージ７から引き上げられて第２抜取り開口４１を開けることができ、かくして第２抜取り開口４１を通じて紙巻タバコが抜き取れられるのを可能とすることができる。
【００５１】
換言すれば、第２密封フラップ４３の下面に塗布された、不乾性の再付着性接着剤の存在によって、第２内側パッケージ７の切離し線４２を取り囲む（即ち、第２抜取り開口４１を取り囲む）部分と、第２密封フラップ４３との間での、一時的な（即ち、使用時に引き離される）接着が生じ、第２密封フラップ４３が、第２内側パッケージ７から幾度も（即ち、第２内側パッケージ７を開く度に）部分的に引き離され、そして再び第２内側パッケージ７に固定されることが可能となる。
【００５２】
第２密封フラップ４３は更に、第２内側パッケージ７の切離し線４２の内側に囲い込まれた（即ち、第２抜取り開口４１の所の）部分の第２密封フラップ４３に対する恒久的な（即ち、使用時であっても決して引き離されない）接着を生じさせる恒久的接着剤を備えている。かくして、第２密封フラップ４３が第２内側パッケージ７から引き上げられたときには、第２内側パッケージ７の切離し線４２の内側に囲い込まれた（即ち、第２抜取り開口４１の所の）部分が、第２密封フラップ４３と一緒に持ち上がって、第２抜取り開口４１を開けるのである。
【００５３】
第２密封フラップ４３は更に、取外し可能タブ４４を備えている。
【００５４】
取外し可能タブ４４は、蓋３が閉鎖位置に配置されたときに、少なくとも部分的に蓋３の前壁１６より下に配置される。
【００５５】
タブ４４は、自らの第２密封フラップ４３からの取外しを容易とする、掴めるフラップ４５を有していることが好ましい。
【００５６】
図８、図１３、および図１３Ｂに示すことによれば、第２密封フラップ４３には第２連結タブ４６（これには再付着性接着剤がない）が設けられている。
【００５７】
特に、第２連結タブ４６は、第２内側パッケージ７の前壁３７に面した、再付着性接着剤のない内面４７（図４に示す）と、内面４７とは反対側の、蓋３が閉鎖位置に配置されたときに蓋３の前壁１６の内面に面する外面４８とを備えている。具体的には、第２密封フラップ４３の第２連結タブ４６の外面４８は、蓋３が閉鎖位置に配置されたときに蓋３の補強フラップ３３に面する。
【００５８】
第２連結タブ４６の外面４８は、第２密封フラップ４３の対応する末端部分５０に対して（好ましくは、接着によって）恒久的かつ分離不能な方式でくっつけられる末端部分４９を備えている。
【００５９】
第２連結タブ４６の外面４８の残部上には、接着性材料の層が設けられている。そして、その接着性材料の層は、蓋３が閉鎖位置に配置されたときに第２密封フラップ４３と蓋３との間に配置される。
【００６０】
接着性材料の層の上に、上記で開示した取外し可能タブ４４が定置される。そして接着性材料の層は、第２連結タブ４６の外面４８の残部と、取外し可能タブ４４の内面との間に置かれる。そのタブ４４は、接着性材料の層から引離し可能となる程度に取外し可能であると規定される。
【００６１】
本発明によれば、第２連結タブ４６の外面４８の末端部分４９は、弱め線６４（図１３および図１３Ｂに示す）によって、外面４８の残部（その上には接着性材料の層が設けられている）から区分されている。弱め線６４の機能は、第２密封フラップ４３の末端部分５０の所での第２連結タブ４６の折曲げを容易にして、より小さな強度の折曲げ力を加えることによって、第２密封フラップ４３の末端部分５０の所で第２連結タブ４６が折り曲げられることを可能とする（かくしてまた、第２連結タブ４６が第２密封フラップ４３の末端部分５０の所で折り曲げられた後で元の折り曲げられていない位置へ戻ろうとする弾性復元力を低下させる）ことである。
【００６２】
弱め線６４の存在によって、蓋３の、そして（後述するように第２密封フラップ４３が蓋３に接着されたときには）第２密封フラップ４３の移動中に、第２連結タブ４６が第２密封フラップ４３の末端部分５０の所で、より容易に（即ち、より小さな「力」で）折り曲げられる。かくして、第２連結タブ４６は、第２連結タブ４６と蓋３の内面との間に、より小さな牽引力を加えることによって（即ち、接着剤の各スポットに、より小さな牽引力を掛けることによって）第２密封フラップ４３の末端部分５０の所で折り曲げられるのである。従って、弱め線６４の存在によって、（後述するように）第２密封フラップ４３の第２連結タブ４６を蓋３の内面に連結する接着性材料の層への応力を減少させることが可能となる。かくして、使用時に第２密封フラップ４３の蓋３からの望ましからぬ剥がれが生じる危険性を、著しく低減させることが（さもなければ完全に取り除くことも）可能となる。
【００６３】
弱め線６４は、第２連結タブ４６を構成する材料を切るか、或いは取り除くことによって、即ち第２連結タブ４６を構成する材料に影響する「溝」を作り出すことによって造られる。弱め線６４は、連続的なものであって（即ち、第２連結タブ４６の全長に沿って伸びていて）、第２連結タブ４６を構成する材料の部分的な（即ち、貫通していない）切込みから成っている。図示しない別の実施形態によれば、弱め線６４は、断続的なものであって（即ち、個別の部分で伸びていて）、第２連結タブ４６を構成する材料の完全な（即ち、貫通した）切込みから成っている。図示しない更なる実施形態によれば、弱め線６４は、断続的なものであって（即ち、個別の部分で伸びていて）、第２連結タブ４６を構成する材料の部分的な（即ち、貫通していない）切込みから成っている。
【００６４】
例えば、弱め線６４は、第２連結タブ４６を構成する材料を機械的に切断する刃によって造ることができ、或いは第２連結タブ４６を構成する材料の一部を取り除くレーザービームによって造ることができる。
【００６５】
使用時には、取外し可能タブ４４が取り外されてしまえば、下にある接着性材料の層が剥き出しとなる。
【００６６】
紙巻タバコの包装体１の閉鎖状態においては、タブ４４と、その掴めるフラップ４５とが、蓋３によって、そして特にその前壁１６によって覆い隠されている、ということを認められたい。
【００６７】
従って、取外し可能タブ４４を第２連結タブ４６から、かくして第２密封フラップ４３から取り外すためには、消費者は蓋３を持ち上げることを強いられる。
【００６８】
取外し可能タブ４４は、紙巻タバコの一般的に認められた縦方向の延長の軸線Ａに対して横切る方向に沿って取り外されるのが好ましい。
【００６９】
使用時において、掴めるフラップ４５によって取外し可能タブ４４を第２連結タブ４６から取り外すことは、消費者の自由に委ねられる。
【００７０】
取外し可能タブ４４が取り外されて下にある接着性材料の層が剥き出しのままとなった場合には、第２密封フラップ４３が、第２連結タブ４６によって自動的に蓋３と繋がるという有利さがある。それは、第２内側パッケージ７が蓋３の同時な開閉によって開閉されるようにである。
【００７１】
接着性材料の層による第２密封フラップ４３への、即ち第２連結タブ４６への蓋３の恒久的な接着は、消費者による蓋３の前壁１６の押さえ付けによって容易にすることができる。
【００７２】
このようにして、蓋３の前壁１６の、即ち補強フラップ３３の内面が、接着性材料の層に対して固定される。
【００７３】
かくして第２密封フラップ４３への、即ち第２連結タブ４６への蓋３の連結作用は、第２密封フラップ４３が第２内側パッケージ７の閉鎖位置に置かれた状態で生じる。
【００７４】
蓋３が第２密封フラップ４３に、即ち第２連結タブ４６に連結されてしまえば、消費者は、単に蓋３に作用を及ぼすことによって第２内側パッケージ７を開閉させるのである、ということを認められたい。
【００７５】
蓋３と、第２密封フラップ４３との、即ち第２連結タブ４６との間の良好な固定を保証するためには、接着性材料の層と、蓋３の前壁１６の、即ち補強フラップ３３の内面との間でのグリップを可能とする規定の幅を、接着性材料の層が（包装体１の一般的に認められた縦方向の延長を考慮して）有していねばならない、ということに留意されたい。
【００７６】
消費者が、取外し可能タブ４４を第２密封フラップ４３から、即ち第２連結タブ４６から取り外さないと決めた場合には、第２内側パッケージ７は（第２連結タブ４６を掴むことで）第２密封フラップ４３を引き離したり付け直したりすることによって、手動で開閉されるであろう。
【００７７】
上記で開示した紙巻タバコの包装体１は、第２内側パッケージ７の開閉の仕方を好みに応じて決めるのが消費者であるという点において、カスタマイズ可能となっている有利さがある。
【００７８】
さらに、掴めるフラップ４５によって取外し可能タブ４４を取り外し、接着性材料の層を用いて第２密封フラップ４３を蓋３へ固定することによって、第２内側パッケージ７を単一の動作で開閉させることが可能となる。
【００７９】
図示しない別の実施形態によれば、第２密封フラップ４３は内側パッケージ材料の少なくとも２つの層を備え、その第１層が外側であり（即ち、蓋３が閉鎖位置に配置されたときに、蓋３の前壁１６の内面に面し）、第２層が内側である（即ち、第２内側パッケージ７に面している）。
【００８０】
このようにして、第１層が第２密封フラップ４３の外面を画成し、２番目の層が第２密封フラップ４３の内面を画成する。この実施形態において、接着性材料の層は、第１層と第２層との間に差し挟まれる。また、この実施形態において、取外し可能タブ４４は、第２密封フラップ４３の縁部のうちの１つを画成する少なくとも一度の切込み線に沿って、そのフラップ４３から引き離される。具体的には、切込み線は、第２密封フラップ４３の第１層に影響するものである。従って、この実施形態においては、取外し可能タブ４４が、接着性材料の層の上に少なくとも部分的に配置される第１層の部分によって画成されている。事実上、取外し可能タブ４４が取り外されてしまえば、下にある接着性材料の層が剥き出しとなる。つまり、取外し可能タブ４４は、切込み線によって第２密封フラップ４３により得られるのである。さらに、この実施形態において、第２連結タブ４６は、取外し可能タブ４４の下側にある第２密封フラップ４３の第２層の部分である。この実施形態において、弱め線６４は切込み線から成っている。
【００８１】
図示しない他の実施形態によれば、取外し可能タブ４４が少なくとも部分的に外側容器２の外側へ伸びており、特に取外し可能タブ４４が蓋３の外側へ伸びている。そのような実施形態においては、蓋３が開くのを防ぎつつ取外し可能タブ４４が取り外されるのを可能とするように、少なくとも取外し可能タブ４４の掴めるフラップ４５が蓋３の外側へ伸びているのが有利である。
【００８２】
図示しない別の実施形態によれば、蓋３に賦形された切れ目が設けられ、その切れ目を通じて取外し可能タブ４４の掴めるフラップ４５が突き出るようになっている。具体的には、その賦形された切れ目は、蓋３の前壁１６上で消費者に見えるようできている。
【００８３】
図示しない更なる実施形態によれば、取外し可能タブ４４がその上に重ね合わされる接着性材料の層は、蓋３の前壁１６の内面上に配置される。
【００８４】
図１０に示すものによれば、紙巻タバコの包装体１は、一般的に「内部補剛体」として知られる２つの補剛体５１を更に備えている。それらの補剛体５１は、堅い（剛性のある）型式のものであり、板紙や堅い厚紙から成り、「Ｕ」形状で、紙巻タバコの第１群６と直接的に接触して第１内側パッケージ５内と、紙巻タバコの第２群８と直接的に接触して第２内側パッケージ７内部とにそれぞれ配置される。
【００８５】
各補剛体５１は、
第１内側パッケージ５の前壁２２および第２内側パッケージ７の前壁３７にそれぞれ面する前壁５２と、
第１内側パッケージ５の第１側壁２４および第２内側パッケージ７の第１側壁２６にそれぞれ面する第１側壁５３と、
第１内側パッケージ５の第２側壁２５および第２内側パッケージ７の第２側壁５４にそれぞれ面する第２側壁５４と、
第１側壁５３に連結されて前壁５２と向かい合う第１後壁５５と、
第２側壁５４に連結されて前壁５２と向かい合い、第１後５５壁と同一平面上にある第２後壁５６と、
紙巻タバコの抜取りを容易にするように前壁５２にできた「Ｕ」形状凹部６３と、
を有している。
【００８６】
使用時における補剛体５１の機能は、熱融着性のパッケージ材料のシート２７，４０を折り曲げて熱融着する間に紙巻タバコを保護すること、および閉鎖用フラップ３０，４３に対する当たり受けの役目をすることである。
【００８７】
容器２と蓋３とは、第１内側パッケージ５および第２内側パッケージ７（それらの内部で、それぞれの補剛体５１が紙巻タバコの群６，８に予め巻き付けられているもの）を、図１４に示す打抜き材５７で包むことによって得られる。その打抜き材５７は、容器２および蓋３の対応した各部を表す参照符号と同じダッシュ付き参照符号で表されることとなる複数のパネルを備えている。
【００８８】
図１４に示すことによれば、打抜き材５７は、２つの縦方向折曲げ線５８（これらが容器２および蓋３の縦方向稜を画成する）と、複数の横方向折曲げ線５９とを有している。各横方向折曲げ線５９は、２つの縦方向折曲げ線５８同士の間に、容器２の前壁１１を構成するパネル１１’と、容器２の底壁１０を構成する、横方向折曲げ線５９に沿ってパネル１１’に直接的に連結されたパネル１０’と、容器２の後壁１２を構成する、横方向折曲げ線５９に沿ってパネル１０’に直接的に連結されたパネル１２’と、蓋３の後壁１７を構成する、横方向折曲げ線５９に沿ってパネル１２’に直接的に連結されたパネル１７’と、蓋３の上壁１５を構成する、横方向折曲げ線５９に沿ってパネル１７’に直接的に連結されたパネル１５’と、蓋３の前壁１６を構成する、横方向折曲げ線５９に沿ってパネル１５’に直接的に連結されたパネル１６’とを画成している。
【００８９】
打抜き材５７は、補強フラップ３３を構成するパネル３３’を更に備えている。そのパネル３３’は、横方向折曲げ線５９に沿ってパネル１６’に連結されており、パネル１６’上へと１８０°折り曲げられて、パネル１６’の内側に接着される。
【００９０】
打抜き材５７は、パネル１１’の両側に配置された一対のフラップ１３’，１４’を更に備えている。それらのフラップ１３’，１４’は、２つの縦方向折曲げ線５８に沿ってパネル１１’に連結されており、容器２の側壁１３，１４の一部を構成する。
【００９１】
また、打抜き材５６は、パネル１２’の両側に配置された一対のフラップ１３”，１４”を備えている。それらのフラップ１３”，１４”は、２つの縦方向折曲げ線５８に沿ってパネル１２’に連結されており、容器２の側壁１３，１４の一部を構成すると共に、対応するフラップ１３’，１４’に接着されて、それらの上に重ね合わされる。各フラップ１３”，１４”はタブ６０を備えている。それらのタブ６０は、それぞれのフラップ１３”，１４”に対して９０°折り曲げられ、パネル１０’の上に重ね合わされて、そこに接着される。
【００９２】
打抜き材５７は、パネル１６’の両側に配置された一対のフラップ１８’，１９’を更に備えている。それらのフラップ１８’，１９’は、２つの縦方向折曲げ線５８に沿ってパネル１６’に連結されており、蓋３の側壁１８，１９の一部を構成する。
【００９３】
打抜き材５７は、パネル１７’の両側に配置された一対のフラップ１８”，１９”を更に備えている。それらのフラップ１８”，１９”は、２つの縦方向折曲げ線５８に沿ってパネル１７’に連結されており、蓋３の側壁１８，１９の一部を構成すると共に、対応するフラップ１８’，１９’に接着されて、それらの上に重ね合わされる。各フラップ１８”，１９”はタブ６１を備えている。それらのタブ６１は、それぞれのフラップ１８”，１９”に対して９０°折り曲げられ、パネル１５’の上に重ね合わされて、そこに接着される。
【００９４】
補剛体５１の各々は、それぞれの紙巻タバコの群６，８を、図１１に示す打抜き材６２でくるむことによって得られる。その打抜き材６２は、補剛体５１の対応した各壁を表す参照符号と同じダッシュ付き参照符号で表されることとなる複数のパネルを備えている。
【００９５】
図１１に示すことによれば、打抜き材６２は、補剛体５１の前壁５２を構成するパネル５２’と、補剛体５１の側壁５３，５４を構成する、それぞれの縦方向折曲げ線によってパネル５２’の両側に連結された一対のパネル５３’，５４’と、補剛体５１の側壁５５，５６を構成する、それぞれの縦方向折曲げ線によってパネル５３’および５４’にそれぞれ連結された一対のフラップ５５’，５６’とを備えている。
【００９６】
図示しない実施形態によれば、紙巻タバコの包装体１は、任意の寸法の紙巻タバコを収容するように改変される。
【００９７】
上記で開示した紙巻タバコの包装体１は、数多くの利点を有している。その包装体１は、製造するのが簡単かつ廉価であり、また手先の器用さに劣る使用者にとってさえも迅速かつ容易な単一の動作で、蓋５と各フラップ３０，４３とを開閉することを可能とするからである。
【００９８】
さらに上記で開示した紙巻タバコの包装体１は、第２内側パッケージ７の開閉の仕方を好みに応じて決めるのが消費者であるという点において、カスタマイズ可能となっている。
【００９９】
最後に、上記で開示した紙巻タバコの包装体１は、弱め線３４，６４の存在によって、閉鎖用フラップ３０，４３の蓋３からの望ましからぬ剥がれの危険性が実質的に取り除かれるのである。
【図１】
2018513068.tif 000003
【図２】
2018513068.tif 000004
【図３】
2018513068.tif 000005
【図４】
2018513068.tif 000006
【図５】
2018513068.tif 000007
【図６】
2018513068.tif 000008
【図７】
2018513068.tif 000009
【図８】
2018513068.tif 000010
【図９】
2018513068.tif 000011
【図１０】
2018513068.tif 000012
【図１１】
2018513068.tif 000013
【図１２】
2018513068.tif 000014
【図１３】
2018513068.tif 000015
【図１３Ａ】
2018513068.tif 000016
【図１３Ｂ】
2018513068.tif 000017
【図１３Ｃ】
2018513068.tif 000018
【図１４】
2018513068.tif 000019
【図１５】
2018513068.tif 000020
【図１６】
2018513068.tif 000021
【国際調査報告】
2018513068.tif 000022
2018513068.tif 000023
2018513068.tif 000024